(57)【要約】      （修正有）【課題】汗を吸収せず、これにより汗の臭いがつきにくく、かつ保温性に優れるとともに薄くて軽く、破れにくいポリプロピレン不織布製品を提供する。【解決手段】繊維材料がポリプロピレン繊維からなる２枚の外層不織布を積層した不織布積層体を布地とし、かつ少なくとも一部分が肌に直接触れた状態で使用されるポリプロピレン不織布製品において、２枚の外層不織布は、それぞれが目付１０〜１００ｇ／ｍ２のものとした。【選択図】図１
0003176097.tif 000002
【実用新案登録請求の範囲】
【請求項１】
繊維材料がポリプロピレン繊維からなり、目付が２０〜１００ｇ／ｍ２の表裏２枚の外層不織布を積層した不織布積層体を布地とし、かつ少なくとも一部分が肌に直接触れた状態で使用されるポリプロピレン不織布製品。
【請求項２】
前記不織布積層体は、前記表裏２枚の外層不織布の間に、繊維材料がポリプロピレン繊維からなり、かつ目付が１０〜３０ｇ／ｍ２の内層不織布を１枚〜３枚挟み込んだものである請求項１に記載のポリプロピレン不織布製品。
【請求項３】
前記ポリプロピレン不織布製品は、下着または布製寝具である請求項１または請求項２に記載のポリプロピレン不織布製品。
【請求項４】
前記布製寝具は、シーツ、パジャマ、枕カバー、衿カバー、布団カバーのうち、何れか１つである請求項３に記載のポリプロピレン不織布製品。
【考案の詳細な説明】
【技術分野】
【０００１】
この考案はポリプロピレン不織布製品、特にパジャマなどの布製寝具や下着といった少なくとも一部分が肌に直接触れた状態で使用されるポリプロピレン不織布製品に関する。
【背景技術】
【０００２】
衣服のうち、肌に直接触れた状態で使用される下着（アンダーウエア）の素材としては、例えば天然系繊維と木綿繊維とを絡み合わせた吸汗性が高い不織布が知られている（例えば特許文献１など）。高吸汗性の繊維からなる不織布は、使用者の体温調節のために汗を吸収し、蒸発するまで汗を繊維内に保持する。
【特許文献１】特開２００１−１５９００２号公報
【考案の概要】
【考案が解決しようとする課題】
【０００３】
しかしながら、特許文献１のような高吸水性の繊維からなる不織布を所定形状に裁断し、これらの接合部分を縫着した下着によれば、吸水性が高い分だけ、吸収した汗により肌がムレたり、下着のベタつき感や汗の臭いが気になっていた。しかも、例えば寒冷地において、運動後も下着を着がえず、多量の汗を吸った状態で長時間着用していれば、下着が吸着した汗が冷えて体温が奪われ、風邪を引き易くなっていた。また、寒冷地では生地の厚い衣服を重ね着することから、着膨れし易かった。これに類似した課題は、例えば、パジャマ、枕カバーや布団カバーのような、使用時に少なくとも一部分が肌に直接触れる布製寝具などの場合にも発生していた。
【０００４】
そこで、考案者は鋭意研究の結果、疎水性、無臭性および保温性を兼ね備えたポリプロピレン繊維からなる不織布に着目した。すなわち、繊維材料がポリプロピレン繊維１００％の表裏２枚の外層不織布を積層した不織布積層体からなる布地を作製し、これに裁断などの布加工を施して、少なくとも一部分が直接肌に接触するような状態で使用される下着や前記布製寝具などの布製品を製造すれば、上述した問題は全て解消することを知見し、この考案を完成させた。
【０００５】
この考案は、汗を吸収せず、これにより汗の臭いがつきにくく、かつ保温性に優れるとともに薄くて軽く、破れにくいポリプロピレン不織布製品を提供することを目的としている。
【課題を解決するための手段】
【０００６】
この考案は、繊維材料がポリプロピレン繊維からなり、目付が１０〜１００ｇ／ｍ２の表裏２枚の外層不織布を積層した不織布積層体を布地とし、かつ少なくとも一部分が肌に直接触れた状態で使用されるポリプロピレン不織布製品である。
特に、この考案では、前記不織布積層体として、前記表裏２枚の外層不織布の間に、繊維材料がポリプロピレン繊維からなり、かつ目付が１０〜３０ｇ／ｍ２の内層不織布を１枚〜３枚挟み込んだものを採用した方が望ましい。
また、この考案では、前記ポリプロピレン不織布製品として、下着または布製寝具を採用した方が望ましい。
さらに、この考案では、前記布製寝具としては、シーツ、パジャマ、枕カバー、衿カバー、布団カバーのうち、何れか１つとした方が望ましい。
【０００７】
ここでいう「ポリプロピレン不織布製品」としては、例えば下着、布製寝具を採用することができる。その他、帽子、マフラー、手袋、靴下、タオル（ハンドタオル、フェイスタオル、バスタオルなど）、布製化粧用品（あぶら取りシート、化粧剤を肌に塗布または化粧剤を肌から拭き取る化粧用シートなど）、布製医療用品（肢体切断部位と義肢との間に挟み込まれる義肢用緩衝シート、骨折患者の患部を固定するギブスに内張りされるギブス用緩衝シートなど）を採用することができる。ここでいう不織布とは、繊維シート、ウェブまたはバットで、繊維が一方向またはランダムに配向しており、交流、およびまたは熱融着、およびまたは接着によって繊維間が結合されたものをいう（ただし、紙、織物、編物、タフトおよび縮絨フェルトを除く）。ここでいう「ポリプロピレン不織布」とは、繊維材料がポリプロピレン繊維１００％の不織布である。
【０００８】
外層不織布の目付が１０ｇ／ｍ２未満では、熱遮断性が低い。また、１００ｇ／ｍ２を超えれば、不織布の重量が嵩張り、携帯には不向きとなる。外層不織布の好ましい目付は３０〜５５ｇ／ｍ２である。この範囲であれば、熱遮断性が高く、軽量な不織布となる。各外層不織布は同一厚さでも異なる厚さでもよい。外層不織布としては、繊維材料がポリプロピレン長繊維（繊維太さ１〜８ｄｅ）１００％からなるものでも、ポリプロピレン短繊維（繊維長２０〜１００ｍｍ、繊維太さ１〜８ｄｅ）１００％からなるものでもよい。外層不織布の製造にあたって、フリース形成方法としては、例えば乾式法、湿式法、スパンボンド法、メルトブロー法などを採用することができる。また、フリース結合方法としては、例えばサーマルボンド法、ケミカルボンド法、ニードルパンチ法、スパンレース法、ステッチボンド法、スチームジェット法などを採用することができる（後述する内層不織布も同様）。
不織布積層体は、表裏２枚の外層不織布を重ね合わせ、その後、これらの外縁部分を互いに熱融着や縫着により一体化することで得られる。
【０００９】
内層不織布用のポリプロピレン繊維としては、例えば、繊維材料がポリプロピレン短繊維（繊維長２０〜１００ｍｍ、繊維太さ１〜８ｄｅ）からなるものを採用することができる。また、繊維材料がポリプロピレン長繊維からなるものでもよい。内層不織布の目付が１０ｇ／ｍ２未満では内層不織布が破れやすい。また、３０ｇ／ｍ２を超えれば内層不織布、ひいては不織布積層体およびポリプロピレン不織布製品が嵩張る。内層不織布の好ましい目付は、１０〜１５ｇ／ｍ２である。この範囲であれば、内層不織布が破れにくくて嵩張りにくい。
内層不織布の使用枚数は１枚でも２枚でも３枚でもよい。４枚以上であれば内層不織布が厚過ぎて不織布積層体が嵩張りやすく、ごわつき感がある。しかも、このように４枚以上で内層不織布が厚すぎれば、不織布積層体からなる不織布製品の部品同士を熱融着または縫着により接合し、ポリプロピレン不織布製品を製造する際、その接合作業がしにくい。各内層不織布は同一厚さでも異なる厚さでもよい。
下着としては、例えば上半身に着用するもの（例えばシャツなど）、下半身に着用するもの（例えばパンツ、ズボン下）を採用することができる。布製寝具としては、例えばシーツ、パジャマ、枕カバー、衿カバー、布団カバーを採用することができる。その他、寝袋などでもよい。
【考案の効果】
【００１０】
請求項１に記載の考案によれば、ポリプロピレン不織布製品の生地として、ポリプロピレン繊維からなる２枚の外層不織布からなる不織布積層体を採用したため、ポリプロピレン不織布製品の使用時、使用者の肌から発生した汗は、２枚の外層不織布に吸収されず、汗の自重や蒸発によってポリプロピレン不織布製品の外に排出される。これにより、布製品が吸着した汗を原因として肌がかぶれたり、肌のべたつき感や汗の臭いが気になるなどのおそれがない。また、ポリプロピレン不織布製品は、１枚でも保温性を有するポリプロピレン不織布を２枚積層したものであるため、使用者の体温を保つ保温性が高く、これを使用者が、少なくとも一部分が肌に直接触れた状態で使用することで、例えば寒冷地においてポリプロピレン不織布製品を温かく使用できる。
さらに、このようにポリプロピレン不織布製品は２層式の不織布積層体であるため、単層のポリプロピレン不織布の場合よりも高強度（高剛性）で破れにくい。さらに、ポリプロピレン不織布は嵩張らずかつ軽量であるため、この不織布を２層重ね合わせた不織布積層体からなるポリプロピレン不織布製品としても、その厚さや重さは単層式の場合とほとんど変わらない。また、ポリプロピレン不織布は低価格である。その結果、保温性に優れた薄くて軽く高強度なポリプロピレン不織布製品を安価に提供できる。
【００１１】
請求項２に記載の考案によれば、ポリプロピレン不織布製品の生地として、ポリプロピレン繊維からなる表裏２枚の外層不織布の間に、ポリプロピレン繊維からなる１枚〜３枚の内層不織布を挟み込んだ不織布積層体を採用したため、使用中、肌から発生した汗は、外層不織布、内層不織布の何れにも吸収されず、汗の自重や蒸発によりポリプロピレン不織布製品の外に排出される。これにより、布製品が吸着した汗でかぶれが発症したり、肌のべたつき感や汗の臭いが気になるなどのおそれがない。また、各外層不織布として目付１０〜１００ｇ／ｍ２のポリプロピレン繊維製のポリプロピレン不織布を採用し、かつ各内層不織布として目付１０〜３０ｇ／ｍ２のポリプロピレン繊維製のポリプロピレン不織布を採用したため、単層式や２層式のポリプロピレン不織布の場合よりも保温性に優れ、かつ強度が高くて破れにくい。しかも、ポリプロピレン不織布は嵩張らずかつ軽量であるため、不織布を３層〜５層重ね合わせた不織布積層体からなるポリプロピレン不織布製品としても、その厚さや重さは単層式や２層式の場合とほとんど変わらない。しかも、ポリプロピレン不織布は低価格であるため、単層式や２層式のものより保温性に優れ、薄くて軽く破れにくいポリプロピレン不織布製品を安価に提供できる。
【００１２】
特に、請求項３に記載の考案によれば、例えば下着の場合、下着が汗を吸着しないことから、運動後に長時間着用したままでも、汗により下着が冷たくなって風邪をひき易くなるというおそれがない。また、布製寝具の場合には、布製寝具が汗を吸着しないため、これを長時間使用しても汗による弊害（汗疹など）はなく、臭いも付きにくい。
【図面の簡単な説明】
【００１３】
【図１】この考案の実施例１に係るポリプロピレン不織布製品の一種である下着の一部拡大断面図を含む正面図である。
【図２】この考案の実施例２に係るポリプロピレン不織布製品の一種である枕カバーの一部拡大断面図を含む正面図である。
【考案を実施するための形態】
【００１４】
以下、この考案の実施例を具体的に説明する。
【実施例】
【００１５】
図１において、１０はこの考案の実施例１に係るポリプロピレン不織布製品の一種である下着で、この下着１０は、スパンボンド法によりフリースが形成されたポリプロピレン長繊維（ポリプロピレン短繊維でも可能）を絡み合わせた表裏２枚の外層不織布１１，１２の間に、ポリプロピレン短繊維（ポリプロピレン長繊維でも可能）を絡み合わせた２枚の内層不織布１３，１４を挟み込んだ不織布積層体１５を布地とし、これを所定の規格サイズに合わせて多数種の下着部品に裁断するとともに、隣接する下着部品の接合端部同士を熱融着することで製造され、かつ裏面全体が肌に直接触れた状態で使用される長袖シャツである。
このうち、表裏２枚の外層不織布１１，１２は、繊維材料がポリプロピレン長繊維１００％で、かつそれぞれが目付３０ｇ／ｍ２のポリプロピレン不織布である。また、２枚の内層不織布１３，１４は、繊維材料がポリプロピレン短繊維１００％で、かつそれぞれが目付１５ｇ／ｍ２のポリプロピレン不織布である。したがって、４層式の不織布積層体１５の厚さは薄い。ただし、不織布積層体１５は各層間に保温性を高める空気層が存在する。そのため、見掛け上の不織布積層体１５の厚さはそれより厚い。
【００１６】
このように、下着１０の生地として、繊維材料がポリプロピレン長繊維のみからなる２枚の外層不織布１１，１２の間に、繊維材料がポリプロピレン短繊維のみからなる２枚の内層不織布１３，１４を挟み込んだ不織布積層体１５を採用したため、下着１０の使用時、使用者の肌から発生した汗は、外層不織布１１，１２および内層不織布１３，１４の何れにも吸収されず、汗の自重や蒸発によって下着１０の外に排出される。これにより、下着１０が吸着した汗によって肌がかぶれたり、肌のべたつき感や汗の臭いが気になるなどのおそれがない。また、下着１０が汗を吸着しないことから、運動後に長時間着用したままでも、汗により下着１０が冷たくなって風邪をひき易くなるというおそれがない。
しかも、このように下着１０の生地として不織布積層体１５を採用したため、下着１０は高い保温性を有している。すなわち、下着１０は、１枚でも保温性を有するポリプロピレン不織布を４枚積層した生地を使用するため、使用者の体温を保つ保温性に優れ、これを使用者が着用することにより、例えば寒冷地において高い体温を保持することができる。さらに、各外層不織布１１，１２として、目付３０ｇ／ｍ２のポリプロピレン不織布を採用したため、密集するポリプロピレン長繊維同士の結合力が高まり、これらの外層不織布１１，１２を下着１０の表面または裏面に使用しても、破れたり繊維がほつれたりしにくい。
【００１７】
また、外層不織布１１，１２として、繊維材料がポリプロピレン長繊維のみからなり、目付が３０ｇ／ｍ２のポリプロピレン不織布を採用するとともに、内層不織布１３，１４として、繊維材料がポリプロピレン短繊維のみからなり、目付が１５ｇ／ｍ２のポリプロピレン不織布を採用したため、単層式のポリプロピレン不織布の場合よりも強度が高く破れにくい。しかも、ポリプロピレン不織布は嵩張らずかつ軽量であるため、この不織布を４層重ね合わせた不織布積層体１５からなる下着１０であっても、その厚さや重さは単層式の場合とほとんど変わらない。しかも、ポリプロピレン不織布は安価である。その結果、保温性に優れた薄くて軽く高強度な（破れにくい）下着１０を、低価格で製造することができる。
【００１８】
次に、図２を参照して、この考案の実施例２に係るポリプロピレン不織布製品を説明する。ここでは、ポリプロピレン不織布製品として布製寝具の一例である枕カバーを例とする。
図２に示すように、実施例２の枕カバー（布製寝具、ポリプロピレン不織布製品）２０の特徴は、実施例１の下着１０では２枚使用されていた内層不織布１３，１４を、内層不織布１６を１枚増やして３層構造とし、これにより不織布積層体１５Ａを５層構造とした点である。
枕カバー２０の製造時には、まず５層式の不織布積層体１５Ａの生地を、所定の規格サイズの横長矩形状の枕カバー部品に裁断し、その後、枕カバー部品の端辺同士を熱融着する。これにより、円筒形状の枕カバー２０が製造される。使用時には、枕３０を枕カバー２０の内部空間に挿入して使用する。
このように、本考案のポリプロピレン不織布製品を布製寝具の一種である枕カバー２０に採用したため、枕カバー２０が汗を吸着せず、表面は常にサラサラな状態となり、枕カバー２０を長時間使用しても汗疹などが発症しにくい。しかも、汗の臭いも枕カバー２０に付きにくい。また、内層不織布１３，１４，１６を３層式としたため、実施例１の２層式の場合に比べて保温性が高まり、かつ積層体としての内層不織布の強度が増大して破れにくくなる。
その他の構成、作用および効果は、実施例１と略同じであるため、説明を省略する。
【産業上の利用可能性】
【００１９】
この考案のポリプロピレン不織布製品は、少なくとも一部分が肌に直接触れた状態で使用される、例えば下着や布製寝具などとして有用である。
【符号の説明】
【００２０】
１０  下着（ポリプロピレン不織布製品）、
１１  外層不織布、
１２  外層不織布、
１３、１４、１６  内層不織布、
１５，１５Ａ  不織布積層体、
２０  枕カバー（布製寝具、ポリプロピレン不織布製品）。
【図１】
0003176097.tif 000003
【図２】
0003176097.tif 000004